(57)【特許請求の範囲】
【請求項１】
段階的に引出し可能な引出しを備える手差しトレーと、前記引出し側に設けられ且つ当該引出しを引き出すことにより前記手差しトレーの表面から浮上して載置された記録紙のサイズを検知するアクチュエータと、前記引出し側に設けられ前記アクチュータを検知するセンサと、前記引出しが引き出され前記手差しトレーが最大長になるまで前記アクチュエータの浮上を防止する浮上防止手段と、を具備することを特徴とする記録装置。
【請求項２】
前記浮上防止手段は、前記アクチュエータと一体形成され前記アクチュエータを構成する端部と反対側の端部が、前記手差しトレーが最大長になるまで前記手差しトレーの内壁に引っかかって、前記アクチュエータの浮上を防止することを特徴とする請求項１記載の記録装置。
【請求項３】
段階的に引出し可能な引出しを備える手差しトレーと、前記引出し側に設けられ且つ当該引出しを引き出すことにより前記手差しトレーの表面から浮上して載置された記録紙のサイズを検知するアクチュエータと、前記引出し側に設けられ前記アクチュータを検知するセンサと、前記引出しが引き出され前記手差しトレーが最大長になるまで前記アクチュエータの浮上を防止する浮上防止手段と、を具備し、前記アクチュエータは、前記浮上防止手段により浮上が制限され前記手差しトレー内部にあるときは前記センサが発する光を透過させる穴部を有していることを特徴とする記録装置。
【請求項４】
段階的に引出し可能な引出しを備える手差しトレーと、前記引出し側に設けられ且つ当該引出しを引き出すことにより前記手差しトレーの表面から浮上して載置された記録紙のサイズを検知するアクチュエータと、前記引出し側に設けられ前記アクチュータを検知するセンサと、前記引出しが引き出され前記手差しトレーが最大長になるまで前記アクチュエータの浮上を防止する浮上防止手段と、を具備し、前記アクチュエータは、前記浮上防止手段により浮上が制限され前記手差しトレー内部にある場合は前記センサが発する光を透過させる一方、前記手差しトレーが最大長になるまで前記引出しが引き出された状態で記録紙の載置により前記アクチュエータが前記手差しトレー内部にあるときは前記センサが発する光を遮光させる穴部を有していることを特徴とする記録装置。
【発明の詳細な説明】
【０００１】
【発明の属する技術分野】
本発明は、手差しトレーを備え、給紙ユニットからの給紙の他に手差しトレーからの給紙が可能な記録装置に関する。
【０００２】
【従来の技術】
従来、この種の記録装置は、給紙ユニットとは別に手差しトレーを備えて、給紙ユニットに収納されていない種類の記録紙に対応できるよう構成されている。
【０００３】
この手差しトレーには、引出し式に段階的に長さを延長できるようにしたものがある。例えば、Ａ３サイズの記録紙を手差しトレーに積載する場合、手差しトレーを引き出して最大長に延長して使用する。一方、不使用時には、この引出し式の手差しトレーを段階的に収納し、その長さを短縮する。
【０００４】
この引出し式の手差しトレーには、Ａ４サイズの記録紙とＡ３サイズの記録紙とを識別するため、延長された手差しトレーの先端にサイズ検知用のアクチュエータを設けている。また、このアクチュエータは、この引出し式の手差しトレーを収納する際には、手差しトレーの内部に収納される。
【０００５】
【発明が解決しようとする課題】
しかしながら、上記従来の技術では、以下のような問題が生じていた。
【０００６】
即ち、上述のアクチュエータは、手差しトレーを最大長に延長するに至らない状態であっても、ある程度手差しトレーを引き出せば表面に出現する。このため、手差しトレーが例えばＡ３サイズの長さより短い段階まで引き出された場合においてもセンサは機能する。この結果、途中の段階まで延長された手差しトレーに例えばＡ４サイズの記録紙を積載した場合においても、これをＡ３サイズの記録紙と誤検知するという問題が生ずる。
【０００７】
本発明は、かかる問題点に鑑みて為されたものであり、引出し式の手差しトレーを最大長まで引き出していない状態においても、記録紙のサイズの誤検知を確実に防止することができる記録装置を提供することを目的とする。
【０００８】
【課題を解決するための手段】
本発明は、段階的に引出し可能な引出しを備える手差しトレーの引出し側に設けられ、且つ、当該引出しを引き出すことにより手差しトレーの表面から浮上して載置された記録紙のサイズを検知するアクチュエータの浮上を、引出しが引き出され手差しトレーが最大長になるまで防止するようにしたものである。
【０００９】
これにより、手差しトレーが最大長になるまでアクチュエータの浮上が防止されるので、手差しトレーの長さが最大長に至らない途中の段階で載置された記録紙に反応して記録紙のサイズが誤検知されるのを防止することができる。
【００１０】
【発明の実施の形態】
本発明の第１の態様に係る記録装置は、段階的に引出し可能な引出しを備える手差しトレーと、前記引出し側に設けられ且つ当該引出しを引き出すことにより前記手差しトレーの表面から浮上して載置された記録紙のサイズを検知するアクチュエータと、前記引出し側に設けられ前記アクチュータを検知するセンサと、前記引出しが引き出され前記手差しトレーが最大長になるまで前記アクチュエータの浮上を防止する浮上防止手段と、を具備する構成を採る。
【００１１】
この構成によれば、手差しトレーが最大長になるまでアクチュエータの浮上が防止されるので、手差しトレーの長さが最大長に至らない途中の段階で載置された記録紙に反応して記録紙のサイズが誤検知されるのを防止することができる。
【００１２】
本発明の第２の態様は、第１の態様に係る記録装置において、前記浮上防止手段は、前記アクチュエータと一体形成され前記アクチュエータを構成する端部と反対側の端部が、前記手差しトレーが最大長になるまで前記手差しトレーの内壁に引っかかって、前記アクチュエータの浮上を防止する構成を採る。
【００１３】
この構成によれば、浮上防止手段はアクチュエータと一体形成されているので、部品点数の増加を押えつつ簡易な構成で記録紙サイズを誤検知するのを防止できる。
【００１４】
本発明の第３の態様に係る記録装置は、段階的に引出し可能な引出しを備える手差しトレーと、前記引出し側に設けられ且つ当該引出しを引き出すことにより前記手差しトレーの表面から浮上して載置された記録紙のサイズを検知するアクチュエータと、前記引出し側に設けられ前記アクチュータを検知するセンサと、前記引出しが引き出され前記手差しトレーが最大長になるまで前記アクチュエータの浮上を防止する浮上防止手段と、を具備し、前記アクチュエータは、前記浮上防止手段により浮上が制限され前記手差しトレー内部にあるときは前記センサが発する光を透過させる穴部を有している構成を採る。
【００１５】
この構成によれば、アクチュエータに、浮上防止手段により浮上が制限され、手差しトレー内部にあるときはセンサが発する光を透過させる穴部を設けることにより、アクチュエータが手差しトレー内に収納され、手差しトレーの表面から沈んだ状態にあっても、センサはこのアクチュエータを検知しない。したがって、記録紙が載置されていないにも関わらず、センサがアクチュータを検知し記録紙が載置されていると誤検知するのを防止できる。
【００１６】
本発明の第４の態様は、段階的に引出し可能な引出しを備える手差しトレーと、前記引出し側に設けられ且つ当該引出しを引き出すことにより前記手差しトレーの表面から浮上して載置された記録紙のサイズを検知するアクチュエータと、前記引出し側に設けられ前記アクチュータを検知するセンサと、前記引出しが引き出され前記手差しトレーが最大長になるまで前記アクチュエータの浮上を防止する浮上防止手段と、を具備し、前記アクチュエータは、前記浮上防止手段により浮上が制限され前記手差しトレー内部にある場合は前記センサが発する光を透過させる一方、前記手差しトレーが最大長になるまで前記引出しが引き出された状態で記録紙の載置により前記アクチュエータが前記手差しトレー内部にあるときは前記センサが発する光を遮光させる穴部を有している構成を採る。
【００１７】
手差しトレーに引出しが収納されている場合も、また、引出しが引出されてその上に記録紙が載置されている場合も、同様にアクチュエータは手差しトレー内部に沈んでいる。しかし、同じ状態であるにも関わらず、前者の場合は記録紙無しという判断をしなければならないのに対して、後者の場合は記録紙有りという判断をしなければならない。
【００１８】
本発明の第４の態様に係る記録装置によれば、アクチュエータに、浮上防止手段により浮上が制限され、手差しトレー内部にある場合はセンサが発する光を透過させる一方、手差しトレーが最大長になるまで引出しが引き出された状態で記録紙の載置によりアクチュエータが手差しトレー内部にあるときはセンサが発する光を遮光させる穴部を設けることにより、アクチュエータが手差しトレー内部に沈んでいる状態であっても、手差しトレーに引出しが収納されている場合と引出しが引き出されてその上に記録紙が載置されている場合とを区別できる。これにより、前者の場合は記録紙無しという判断をしつつ、後者の場合は記録紙有りという判断ができ、誤検知を確実に防止することができる。
【００１９】
以下、本発明の実施の形態にかかる記録装置について図面を参照して具体的に説明する。
【００２０】
図１はファクシミリ機能と複写機能とを有している本実施の形態に係る複合機の全体構成図である。同図に示す複合機は、筐体１０上部に原稿を走査して画像を読取る読取りユニット１１が設けられ、読取りユニット１１の上面に原稿読取り面を開閉する上部カバー１２が開閉自在に取り付けられている。
【００２１】
筐体１０には、読取りユニット１１の下方部に記録紙を排出するための排出空間１３が形成されており、排出空間１３の下面が排紙トレー１４として機能する。また、筐体１０下部に記録紙を収納する給紙カセット１５が配置されている。
【００２２】
給紙カセット１５の給紙側端部上方にピックアップローラ１６が昇降自在に配置され、ピックアップローラ１６に近接して給紙ローラ１７−１及び分離ローラ１７−２が対向配置される。給紙ローラ１７−１はピックアップローラ１６により給紙カセット１５から取り出された記録紙を後述する片面パスへ繰出すためのローラであり、分離ローラ１７−２は給紙カセット１５から重ねて取り出された複数枚の記録紙から１枚を分離するためのローラである。
【００２３】
片面パスは筐体１０下部より略垂直上方に向けて形成されている。この片面パス上に記録部が設置されており、その記録部を通過する記録紙の搬送タイミングを制御するレジストローラ１８が記録部の手前に配置されている。記録部は、感光体１９を保持したプロセスカートリッジ２０と、感光体１９に潜像を形成するレーザーユニット２１及び感光体１９のトナーを記録紙へ転写するための転写ローラ２２等から構成される。なお、記録部の構成は上記構成に限定されるものではなく、例えば感光体１９とプロセスカートリッジ２０とが一体となっていないものであってもよい。
【００２４】
片面パスにおける記録部よりも下流側に定着ユニット２３が設置されている。定着ユニット２３は定着ローラ２４とこの定着ローラ２４に対して所定の圧力で押圧される加圧ローラ２５とを有する。
【００２５】
定着ユニット２３の排出口側が片面パスの終端側となっており、そこから後述する両面パスと排出側紙パスとに分岐している。排出側紙パスは定着ユニット２３の排出口より排出空間１３側に向けて略水平に折り曲がり、その終端部に第１排出手段としての排出ローラ２６が設けられている。
【００２６】
両面パスの入口には、一旦排出側紙パスへ搬送された後、再び後端より取り込まれた記録紙を両面パス側へ案内する両面パス用案内部材２８が設けられている。符号２９は、片面パスと筐体１０側壁２７との間に垂直方向に向けて形成された両面パスを示している。この両面パス２９の先端は片面パスの上流部に連結されており、反転させた記録紙をレジストローラ１８よりも上流側に戻すようになっている。
【００２７】
両面パスの中間部には記録紙を側壁２７より外部へ排出する排出口３１が形成されており、当該排出口３１に排出ローラ３２が設けられている。この排出ローラ３２の近傍に設置された切り換え爪３３によって、記録紙を排出ローラ３２側へ案内するか、さらに下方側（片面パス側）へ案内するかを制御する。排出口３１を含む側壁２７に対して手差しトレー３４が開閉自在に取り付けられている。
【００２８】
筐体１０側には手差しトレー３４を開いたときのトレー上面の延長線上に手差し記録紙パス３５が形成されている。手差し記録紙パス３５は手差し給紙ローラ３６を経由して片面パスの上流側に連結されている。また、手差しトレー３４の上面には、本複合機の側面方向に摺動し、手差しトレー３４に載置される記録紙の側端を整える調節ガイド３７が設けられている。
【００２９】
図２に手差しトレー３４の側断面図を示し、図３に手差しトレー３４の上面図を示す。
【００３０】
手差しトレー３４は、引出し式に段階的に長さを延長できるものであり、長さを延長するための引出し部２０１を備えている。引出し部２０１は、手差しトレー３４の筐体２０２からユーザの用途に応じて引き出される。図２に示すように、引出し部２０１の右端（図３にあっては上端）であって中央周辺の下面部は、手差しトレー３４の筐体２０２に形成された切欠き部２０９に対応する部分が他の下面部よりも下がった形状となっている。そして、引出し部２０１が筐体２０２に収納されると、この部分が筐体２０２の切欠き部２０９に入り込み、筐体２０２の下面の一部を形成する。図２及び図３は、引出し部２０１が筐体２０２に収納されている場合について示している。
【００３１】
引出し部２０１の内部には、引出し部２０１が引き出されると手差しトレー３４の表面から浮上して、その上に載置された記録紙のサイズを検知するアクチュエータ２０３と、このアクチュエータ２０３を検知するセンサ２０４とが設けられている。
【００３２】
アクチュエータ２０３は、その側面部の中央近傍に設けられた軸２０５で引出し部２０１の筐体に支持され、この軸２０５を支点として所定範囲内で揺動可能となっている。なお、アクチュエータ２０３周辺の部材の構造については後述する。アクチュエータ２０３には、図２に示す左端部（図３に示す下端部）を下方に下げる力が加わっている。図２に示す左端部を下方に下げる力は、例えば、付勢手段により加えてもよいし、左端部の重量を右端部に比較して重くすることにより加えてもよい。
【００３３】
アクチュエータ２０３の左端部の下方には、左端部が下方に移動するのを制限しないように開口部２０６が設けられている。同様に、アクチュエータ２０３の右端部の上方には、右端部が上方に移動するのを制限しないように開口部２０７が設けられている。なお、引出し部２０１が手差しトレー３４の筐体２０２に収納されている場合には、左端部の下方への移動は、それが筐体２０２の下面と接触することにより制限される。
【００３４】
言い換えると、アクチュエータ２０３の左端部を構成する、後述の部材４０１が筐体２０２の下面に接触することによって、アクチュエータ２０３の位置が決まり、アクチュータ２０３の右端部の位置が決まる。このとき、アクチュエータ２０３の右端部は、図２に示すように、その上端が引出し部２０１の上側の内壁面とほぼ同一の高さに配置される。
【００３５】
センサ２０４は、図２に示すように、引出し部２０１の上側の内壁側に設けられている。また、図３に示すように、アクチュエータ２０３の右端部を両方の側面側から挟み込む位置に設けられている。
【００３６】
センサ２０４は、透過型の光センサで構成される。すなわち、センサ２０４は、発光素子と受光素子とから構成され、受光素子が発光素子からの光を受けた状態（以下、「透過状態」という）及び受光素子が発光素子からの光を遮断された状態（以下、「遮光状態」という）を検知する。センサ２０４が透過状態を検知した場合、本複合機１においては、引き出された状態の引出し部２０１に記録紙が載置されていないものと判断される。一方、センサ２０４が遮光状態を検知した場合、本複合機１においては、引き出された状態の引出し部２０１に記録紙が載置されているものと判断される。
【００３７】
一方、アクチュエータ２０３の右端部には、センサ２０４に挟み込まれる位置に対応して穴部２０８が形成されている。穴部２０８は、アクチュエータ２０３の右端部の中央よりやや上方側に形成されている。
【００３８】
より具体的にいうと、穴部２０８は、引出し部２０１が手差しトレー３４の筐体２０２に収納されている場合、すなわち、アクチュエータ２０３の左端部を構成する、後述の部材４０１が筐体２０２の下面に接触することでアクチュエータの右端部の位置が決まる場合、センサ２０４が透過状態を検知する位置に形成されている。一方、引出し部２０１が完全に引き出され、且つ、その上に記録紙が載置された場合、すなわち、アクチュエータ２０３の右端部自身が載置された記録紙の下面に接触することでアクチュエータの右端部の位置が決まる場合、センサ２０４が遮光状態を検知する位置に形成されている。なお、引出し部２０１が完全に引き出された場合については、後述する。
【００３９】
したがって、引出し部２０１が手差しトレー３４の筐体２０２に収納されている場合、センサ２０４は、アクチュエータ２０３の右端部に形成された穴部２０８を介して透過状態を検知する。このため、本複合機１においては、引出し部２０１が手差しトレー３４の筐体２０２に収納されている場合でも、引き出された状態の引出し部２０１に記録紙が載置されていないものと判断される。
【００４０】
図４にアクチュエータ２０３周辺の部材の拡大図を示す。同図に示すように、アクチュエータ２０３には、略平行に配置される板状の部材４０１が連結部４０２を介して連結されている。すなわち、部材４０１は、アクチュエータ２０３と一体形成され、上述のようにアクチュエータ２０３の左端部として機能する。引出し部２０１に形成された開口部２０６は、この部材４０１の下方に形成される。
【００４１】
また、部材４０１は、引出し部２０１が手差しトレー３４の筐体２０２に収納されている場合、筐体２０２の下面に接触しアクチュエータ２０３の移動を制限することで、右端部の手差しトレー３４の表面からの浮上を防止する浮上防止手段としての機能を果たす。なお、部材４０１は、筐体２０２に形成された切欠き部２０９よりも外側に配置されているため、引出し部２０１が筐体２０２から完全に引き出されるまで筐体２０２の下面に接触しアクチュエータ２０３の移動を制限する。
【００４２】
このように手差しトレー３４の表面からアクチュエータ２０３が浮上するのを防止する浮上防止手段としての部材４０１がアクチュエータ２０３に一体形成されているので、部品点数の増加を押えることができる。なお、アクチュエータ２０３及び浮上防止手段としての部材４０１の構造としては、これに限定されない。例えば、連結部４０２で連結することなく、アクチュエータ２０３自体に浮上防止手段としての機能を追加してもよい。
【００４３】
以上のような構造を有するアクチュエータ２０３等を備えた引出し部２０１が手差しトレー３４の筐体２０２から引き出される様子について説明する。図５は、手差しトレー３４の筐体２０２から引出し部２０１を完全に引き出す途中の状態を示す図である。
【００４４】
引出し部２０１が手差しトレー３４の筐体２０２から完全に引き出されていない場合（最大長まで引き出されていない場合）、アクチュエータ２０３は、図２（図３）に示した引出し部２０１が筐体２０２に収納された状態と同様の状態を維持する。すなわち、部材４０１が筐体２０２に形成された切欠き部２０９よりも外側の筐体２０２の下面に接触することで、アクチュエータ２０３が下方に移動するのを制限している。
【００４５】
すなわち、アクチュエータ２０３の浮上防止手段として機能する部材４０１が手差しトレー３４の筐体２０２に接触し、部材４０１の下方への移動が制限されている。このため、センサ２０４は、引出し部２０１が手差しトレー３４の筐体２０２に収納されている場合と同様に透過状態を検知する。したがって、本複合機においては、この場合も手差しトレー３４には記録紙が載置されていないものと判断される。
【００４６】
図６は、手差しトレー３４の筐体２０２から引出し部２０１が完全に引き出された状態を示す図である。図７は、その状態の上面図である。
【００４７】
引出し部２０１が手差しトレー３４の筐体２０２から完全に引き出されると、アクチュエータ２０３は、図６に示すように、部材４０１が開口部２０６から下方に飛び出し、アクチュエータ２０３の右端部が開口部２０７から上方に飛び出した状態となる。
【００４８】
すなわち、完全に引き出される前は手差しトレー３４の筐体２０２の下面で下方への移動が制限されていた部材４０１がその制限から解放されて開口部２０６から下方に移動する。これに連動してアクチュエータ２０３の右端部も開口部２０７から上方に移動する。
【００４９】
このとき、アクチュエータ２０３の右端部は、図６に示すようにセンサ２０４の検知領域よりも上方に移動する。したがって、センサ２０４は、引出し部２０１が手差しトレー３４の筐体２０２から完全に引き出された場合も透過状態を検知する。このため、この場合も本複合機においては、引き出された状態の引出し部２０１には記録紙が載置されていないものと判断される。
【００５０】
図８は、手差しトレー３４の筐体２０２から引出し部２０１が完全に引き出され、且つ、その上に記録紙が載置された状態を示す図である。
【００５１】
引出し部２０１が手差しトレー３４の筐体２０２から完全に引き出されると、図６に示すように部材４０１が開口部２０６から下方に飛び出し、アクチュエータ２０３の右端部が開口部２０７から上方に飛び出した状態となる。
【００５２】
しかし、その上に記録紙が載置されると、アクチュエータ２０３の右端部は、記録紙の下面に接触することで下方に押し下げられる。言い換えると、アクチュエータ２０３の右端部自身が載置された記録紙の下面に接触することによって、アクチュエータ２０３の位置が決まり、アクチュータ２０３の右端部の位置が決まる。このとき、アクチュエータ２０３の右端部は、図８に示すように、その上端が引出し部２０１の上側の外壁面とほぼ同一の高さに配置される。
【００５３】
アクチュエータ２０３の右端部について、図２に示した引出し部２０１が手差しトレー３４の筐体２０２に収納されている場合と比較すると、アクチュエータ２０３の右端部は、引出し部２０１が手差しトレー３４の筐体２０２に収納されている場合よりも僅かに上方に移動した状態となっている。これに伴い、穴部２０８は、センサ２０４の検知領域から僅かに上方にずれた状態となっている。
【００５４】
アクチュエータ２０３の右端部自身が載置された記録紙の下面に接触することでアクチュエータの右端部の位置が決まる場合、穴部２０８は、上述のように、センサ２０４が遮光状態を検知する位置に形成されている。したがって、引出し部２０１が完全に引き出され、且つ、その上に記録紙が載置された場合、センサ２０４は、穴部２０８を介して透過状態を検知できず、遮光状態を検知する。このため、この場合、本複合機においては、引き出された状態の引出し部２０１に記録紙が載置されているものと判断される。
【００５５】
このように引出し部２０１が手差しトレー３４の筐体２０２に収納されている場合にはセンサ２０４が穴部２０８を介して透過状態を検知する一方、引出し部２０１が完全に引き出され、且つ、その上に記録紙が載置された場合にはセンサ２０４が穴部２０８を介して透過状態を検知せず、遮光状態を検知する所定位置に穴部２０８を形成している。これにより、引出し部２０１が筐体２０２に収納されている場合も、引出し部２０１が筐体２０２から完全に引き出され、且つ、その上に記録紙が載置されている場合も、アクチュエータ２０３は同様に手差しトレー３４の内部に沈んだ状態となるが、これらの場合であっても、アクチュエータ２０８の右端部の上端が引出し部２０１の上側の内壁面とほぼ同一の高さに配置されるか、あるいは、引出し部２０１の上側の外壁面とほぼ同一の高さに配置されるかによって、センサ２０４に対する穴部２０８の位置が変化し、この穴部２０８の位置に応じてセンサ２０４が検知する状態が変化するので、前者の場合を記録紙無しと判断することができる一方、後者の場合を記録紙有りと判断することができる。
【００５６】
このように本実施の複合機によれば、引出し部２０１が完全に引き出されるまではアクチュエータ２０３の浮上防止手段として機能する部材４０１が手差しトレー３４の筐体２０２の下面に接触し、アクチュエータ２０３の右端部が手差しトレー３４の表面から浮上しないようにしている。これにより、手差しトレー３４の長さが最大長に至らない途中の段階で載置された記録紙に反応して記録紙のサイズを誤検知するのを確実に防止することができる。
【００５７】
また、本実施の形態の複合機によれば、浮上防止手段として機能する部材４０１をアクチュエータ２０３と一体形成している。したがって、本複合機の部品点数の増加を押えつつ、簡易な構成で手差しトレー３４に載置される記録紙のサイズを誤検知するのを防止することができる。
【００５８】
さらに、本実施の形態の複合機によれば、アクチュエータ２０３が浮上防止手段として機能する部材４０１により浮上が制限され、手差しトレー３４の内部にあるときはセンサ２０４が発する光を透過させる穴部２０８をアクチュエータ２０３に設けている。これにより、アクチュエータ２０３が手差しトレー３４の筐体２０２に収納され、手差しトレー３４の表面から沈んだ状態にあっても、センサ２０４はアクチュエータ２０３を検知しない。したがって、記録紙が載置されていないにも関わらず、センサ２０４がアクチュータ２０３を検知し記録紙が載置されていると誤検知するのを防止することができる。
【００５９】
さらに、本実施の形態の複合機によれば、アクチュエータ２０３が浮上防止手段として機能する部材４０１により浮上が制限され、手差しトレー３４の内部にある場合はセンサ２０４が発する光を透過させる一方、手差しトレー３４が最大長になるまで引出し部２０１が引き出された状態で記録紙の載置によりアクチュエータ２０３が手差しトレー２０４の内部にある場合はセンサ２０４が発する光を遮光させる穴部を設けている。これにより、アクチュエータ２０３が手差しトレー２０４の内部に沈んでいる状態であっても、引出し部２０１が手差しトレー３４の筐体２０２に収納されている場合と引出し部２０１が引き出されてその上に記録紙が積載されている場合とを区別できる。これにより、前者の場合は記録紙無しという判断をしつつ、後者の場合は記録紙有りという判断ができ、誤検知を確実に防止することができる。
【００６０】
【発明の効果】
以上詳記したように本発明によれば、段階的に引出し可能な引出しに設けられ、この引出しを引き出すことにより手差しトレーの表面から浮上して載置された記録紙のサイズを検知するアクチュエータの浮上を、引出しが引き出され手差しトレーが最大長になるまで防止するようにしたので、引出し式の手差しトレーを最大長まで引出していない状態においても、記録紙サイズの誤検知を確実に防止することができる。
【図面の簡単な説明】
【図１】本発明の一実施の形態に係る記録装置としての複合機の全体構成図
【図２】上記実施の形態に係る複合機の手差しトレーの側断面図
【図３】上記実施の形態に係る複合機の手差しトレーの上面図
【図４】上記実施の形態に係る複合機の手差しトレーのアクチュエータ周辺の部材の拡大図
【図５】上記実施の形態に係る複合機の手差しトレーの筐体から引出し部を完全に引き出す途中の状態を示す図
【図６】上記実施の形態に係る複合機の手差しトレーの筐体から引出し部が完全に引き出された状態を示す図
【図７】上記実施の形態に係る複合機の手差しトレーの筐体から引出し部が完全に引き出された状態の上面図
【図８】上記実施の形態に係る複合機の手差しトレーの筐体から引出し部が完全に引き出され、その上に記録紙が載置された状態を示す図
【符号の説明】
３４  手差しトレー
２０１  引出し部
２０２  筐体
２０３  アクチュエータ
２０４  センサ
２０６，２０７  開口部
２０８  穴部
２０９  切欠き部
４０１  部材（浮上防止手段）
４０２  連結部
【図１】
0004679007.tif 000002
【図２】
0004679007.tif 000003
【図３】
0004679007.tif 000004
【図４】
0004679007.tif 000005
【図５】
0004679007.tif 000006
【図６】
0004679007.tif 000007
【図７】
0004679007.tif 000008
【図８】
0004679007.tif 000009